(57)【要約】【課題】取り扱いおよび施工が容易で、しかも施工期間も短縮される外壁用目地材を提供する。【解決手段】断面が概略中空台形状とされ、側部１３が蛇腹状とされてなる外壁用目地材１０であって、外壁パネルＰと当接する上部端部１２ａが反った弓形状とされるとともに、上部１２が基部層１２ｂと化粧層１２ｃとの二層構造とされ、底部１１の内面に突出部１１ａが形成され、その突出部１１ａに芯材１４が配設されてなるものである。【選択図】図１
2010077739.tif 000002
【特許請求の範囲】
【請求項１】
断面が概略中空台形状とされ、側部が蛇腹状とされてなることを特徴とする外壁用目地材。
【請求項２】
外壁パネルと当接する上部端部が反った弓形状とされてなることを特徴とする請求項１記載の外壁用目地材。
【請求項３】
下部が溝形状とされてなることを特徴とする請求項１または２記載の外壁用目地材。
【請求項４】
上部が、基部層と化粧層との二層構造とされてなることを特徴とする請求項１、２または３記載の外壁用目地材。
【請求項５】
躯体に取付けられる底部内面に突出部が形成されてなることを特徴とする請求項１、２、３または４記載の外壁用目地材。
【請求項６】
突出部に芯材が配設されてなることを特徴とする請求項５記載の外壁用目地材。
【発明の詳細な説明】
【技術分野】
【０００１】
本発明は外壁用目地材に関する。さらに詳しくは、目地部の施工が簡素化される外壁用目地材に関する。
【背景技術】
【０００２】
従来より、パネル化工法が適用された外壁構造１００においては、施工の簡素化を図る観点から、目地部に図４に示すような乾式目地１０１が用いられている。
【０００３】
かかる乾式目地１０１の施工は、外壁パネル１１０，１２０の組み付け完了後に、高所作業車や目地部に設けられた足場を利用し、柱１１１，１２１などの躯体に設けられた目地取付部材１０２に乾式ガスケット１０３をクリップ留めすることによりなされている。
【０００４】
しかしながら、従来の乾式目地１０１においては、外壁パネル１１０，１２０の組み付け完了後に目地部の施工をなしているため、工期の長期化を招来しているという問題がある。
【０００５】
また、高所作業車や目地部に設けられた足場を利用して施工しているため、施工コストの上昇を招来するとともに、外構の施工が目地部の施工完了後にしなければならないという工程上の制約も招来しているという問題もある。
【０００６】
さらに、乾式ガスケット１０３の寸法が一定であるところから、外壁パネル１１０，１２０の組み付け公差が設計値に際して±２ｍｍと厳しく設定されているため、外壁パネル１１０，１２０の組み付け期間の長期化および組付コストの上昇を招来しているという問題もある。
【０００７】
その上、乾式ガスケット１０３は変形しやすいので、据付時に取り扱いを誤ると変形して目地部の外観を損なうという問題もある。
【発明の開示】
【発明が解決しようとする課題】
【０００８】
本発明はかかる従来技術の課題に鑑みなされたものであって、取り扱いおよび施工が容易で、しかも施工期間も短縮される外壁用目地材を提供することを目的としている。
【課題を解決するための手段】
【０００９】
本発明の外壁用目地材は、断面が概略中空台形状とされ、側部が蛇腹状とされてなることを特徴とする。
【００１０】
本発明の外壁用目地材においては、外壁パネルと当接する上部端部が反った弓形状とされてなるのが好ましい。
【００１１】
また、本発明の外壁用目地材においては、下部が溝形状とされてなるのが好ましい。
【００１２】
さらに、本発明の外壁用目地材においては、上部が、基部層と化粧層との二層構造とされてなるのが好ましい。
【００１３】
さらに、本発明の外壁用目地材においては、躯体に取付けられる底部内面に突出部が形成されてなるのが好ましい。その場合、突出部に芯材が配設されてなるのがさらに好ましい。
【発明の効果】
【００１４】
本発明の外壁用目地材は、前記の如く構成されているので、取り扱いおよび施工が容易で、しかも施工期間も短縮されるという優れた効果が得られる。また、施工期間が短縮されるので、施工コストの低減も図られるという優れた効果が得られる。
【発明を実施するための最良の形態】
【００１５】
以下、添付図面を参照しながら本発明を実施形態に基づいて説明するが、本発明はかかる実施形態のみに限定されるものではない。
【００１６】
本発明の一実施形態に係る外壁用目地材（以下、単に目地材という）を図１に断面図で示す。
【００１７】
目地材１０は、図１に示すように、躯体に接着される底部１１の幅が３０ｍｍ程度とされ、外壁パネルと当接する上部１２の幅が２５ｍｍ程度とされ、高さが２０ｍｍ程度とされた概略中空台形状の断面形態とされている。また、目地材１０の素材は、合成ゴム、例えばＥＰＤＭ（エチレンープロピレンゴム）とされる。
【００１８】
底部１１は、側部１３および上部１２により肉厚とされるとともに、内面中央は山形状に突出させられた突出部１１ａとされ、目地材１０の長手方向の剛性の向上が図られている。また、剛性の一層の向上を図る観点から、突出部には鋼線、例えばピアノ線からなる芯材１４が配設されている。
【００１９】
側部１３は、底部１１と接合される直線部１３ａと、直線部１３ａから一体的に形成された湾曲部１３ｂとを含むものとされる。つまり、側部１３は蛇腹状とされている。このように、側部１３が蛇腹状とされていることにより、目地材１０の壁面と垂直方向における柔軟性が担保され施工が容易となる。また、底部１１と接合される個所が直線部１３ａとされているので、これにより目地材１０下部が溝形状を呈し目地材１０の長手方向の剛性のより一層の向上が図られている。
【００２０】
上部１２は、側部１３の上端と接合される両端部１２ａが上方に反り返った弓形状とされている。このように、両端部１２ａが上方つまり外壁パネル側に反り返った弓形状とされているので、両端部１２ａに復元力が生じて外壁パネルとの当接部における止水性が向上する。
【００２１】
また、上部１２は下側の基部層１２ｂと上側の化粧層１２ｃの二層構造とされている。この化粧層１２ｃの色彩を適宜調整することにより、目地部の意匠性の向上が図られる。例えば、化粧層１２ｃの色彩を外壁パネルと同様の色彩とすることにより、目地部の美観が向上するとともに、目地部における特段の仕上げ処理を不要とできる。
【００２２】
図２に、目地材１０が取付けられた外壁目地部を水平断面で示す。
【００２３】
目地材１０は、図２に示すように、第１外壁パネルＰ１が装着される第１柱Ｃ１の目地位置に取付けられる。この取付けは、例えば両面テープによりなされる。また、目地材１０の第２外壁パネルＰ２側に２次止水材２０が隣接させて取付けられる。２次止水材２０は、目地材１０と同様に圧縮性および復元性を有する弾性体、例えば合成ゴムとされる。
【００２４】
目地材１０および２次止水材２０が取付けられた後に、第１外壁パネルＰ１が第１柱Ｃ１に取付けられる。この取付けは、第１外壁パネルＰ１の一端、図においては右端が目地材１０の上部１２一端部、図においては左端部１２ａＬに当接するようにしてなされる。この場合、第１外壁パネルＰ１の取付けは、目地材１０を一定量圧縮するようにしてなされる。このようにすることにより、目地材１０の復元力により止水性が向上する。
【００２５】
ついで、第２外壁パネルＰ２が装着された第２柱Ｃ２の建て込みがなされる（図３参照）。この建込は、第２外壁パネルＰ２の一端、図においては左端が目地材１０の上部他端、図においては右端部１２ａＲに当接するようにしてなされる。この場合、目地材１０の復元力が第２外壁パネルＰ２にも作用するので、この部分における止水性の向上も図られる。
【００２６】
このように、本実施形態の目地材１０を用いた場合、外壁パネルＰが目地材１０の上部１２の端部１２ａに当接させれば止水がなされるので、外壁パネルＰの据付公差を大きくすることができる。例えば、±４ｍｍとすることができる。つまり、従来の倍の公差とすることができる。
【００２７】
このように、公差を大きくできるので、施工が容易となり施工期間の短縮が図られるとともに、施工コストの低減も図られる。
【００２８】
また、外壁パネルＰの据付が完了と同時に目地部の止水も完了する。このため、施工期間が著しく短縮され、施工コストの低減が図られる。
【００２９】
その上、外壁パネルＰの据付が完了した後、ただちに外構工事をなすことができるので、全体の工期も短縮される。
【００３０】
以上、本発明を実施形態に基づいて説明してきたが、本発明はかかる実施形態のみに限定されるものではなく、種々改変が可能である。例えば、目地材１０の長さによっては、底部１１の芯材１４を不要とできる。また、意匠性が問題とならない目地部においては、目地材１０の上部の化粧層１２ｃを不要とできる。
【産業上の利用可能性】
【００３１】
本発明は、外壁の目地部に適用できる。
【図面の簡単な説明】
【００３２】
【図１】本発明の一実施形態に係る目地材の断面図である。
【図２】同目地材が用いられた外壁構造における目地部の水平断面図である。
【図３】本発明の一実施形態に係る目地材が用いられた外壁構造において、第２外壁パネルを据え付けている状態を示す施工説明図である。
【図４】従来の外壁構造における目地部の水平断面図である。
【符号の説明】
【００３３】
１０        目地材
１１        底部
１１ａ      突出部
１２        上部
１２ｂ      基部層
１２ｃ      化粧層
１３        側部
１４        芯材
２０        ２次止水材
Ｃ        柱
Ｐ        外壁パネル
【図１】
2010077739.tif 000003
【図２】
2010077739.tif 000004
【図３】
2010077739.tif 000005
【図４】
2010077739.tif 000006